(57)【特許請求の範囲】
【請求項１】
平面視略Ｌ字型をなす天板と、当該天板における反使用端側の縁部が交差するコーナー部で天板を取り付けるコーナー脚体と、前記縁部の側方に設けられるパネルと、このパネルの反コーナー脚体側に取り付けられるパネル脚体とを設け、前記コーナー脚体及び前記パネル脚体の上方に天板を取り付けてなる天板の取付構造であって、
天板の縁部における前記コーナー部に設けた切欠部と、当該切欠部から突出するように天板の裏面に設けた取付部材と、前記コーナー脚体の上方に設けられ前記取付部材をボルト止め可能にボルト孔を開孔した取付部と、前記パネルの上部に設けられ天板とパネルとを面一に連結するために設けられるカバー部材及び組立時に天板を位置決めするための天板位置決め部材の何れか一方を取付可能なカバー部材脱着部とを有し、
当該切欠部から突出する取付部材の上方から当該取付部材を介して天板をコーナー脚体の取付部に取り付けると共に、前記パネルと当該天板との間において前記天板位置決め部材をカバー部材が取り付けられていないカバー部材脱着部に取り付け、天板位置決め部材の側面に天板を当接させて天板の取付位置を定め、前記天板と前記パネル脚体とを固定した後、前記天板位置決め部材を取り外して前記カバー部材を取り付けることができるようにしたことを特徴とする天板の取付構造。
【請求項２】
平面視略Ｌ字型をなす天板と当該天板における反使用端側の縁部が交差するコーナー部で天板を取り付けるコーナー脚体と、前記縁部の側方に設けられるパネルと、このパネルの反コーナー脚体側に取り付けられるパネル脚体とを設け、前記コーナー脚体及び前記パネル脚体の上方に天板を取り付けてなるテーブルの製造方法において、天板の縁部における前記コーナー部に切欠部を設けると共に、当該切欠部から突出するように天板の裏面に取付部材を設け、前記切欠部から突出する取付部材の上方から当該取付部材を介して天板をコーナー脚体の上方に設けられ前記取付部材をボルト止め可能にボルト孔を開孔した取付部に取り付けると共に、前記パネルと当該天板との間に天板位置決め部材を着脱可能に取り付け、天板の取付位置を定め、前記天板と前記パネル脚体とを固定した後、前記天板位置決め部材を取り外して組み立てることを特徴とするテーブルの製造方法。
【発明の詳細な説明】
【０００１】
【発明の属する技術分野】
本発明は、脚体の上方に天板を取り付けるテーブルの構造およびそのテーブルの製造方法に関するものである。
【０００２】
【従来の技術】
従来、脚体の上方に天板を取り付けてテーブルを構成する場合、まず脚体の上端部分に金属などで構成されたＬ字状のブラケットを取り付け、その後このブラケットを介して天板と脚体とを取り付けるようにしている。
【０００３】
【発明が解決しようとする課題】
ところが、このようにまず脚体の上端部分にブラケットを取り付けるような構成であると、天板を取り付ける際には、まず天板を裏向きにして床面に置き、更にその天板の上に脚体を取付完了方向と上下反転させた状態とした後、脚体に取り付けたブラケットを介してこの脚体を天板の裏面にボルト止めしなければならない。従って、テーブルの組立においては、天板上面の傷付きを防止するため、床面に干渉部材などを置かなければならず、また、テーブルの立ち組みができないため、天板の取付後、テーブルを正立姿勢に戻すなどの作業が必要となって、組み立てに手間がかかるという問題を有していた。
【０００４】
この問題を解決するために、天板の側面部分にブラケットを取り付け、このブラケットを介して天板を脚体に取り付けるようにしたものが提案されている。このようなものは、まず、ブラケットを略Ｌ字状に折り曲げて垂直面と水平面を有する形状に構成する。そして、このブラケットの垂直面を天板の側面部分に取り付けるとともに、このブラケットの水平面を立脚した脚体の上端に載せて、上方からボルト止めするようにしたものである。
【０００５】
ところが、このように天板の側面部分にブラケットを取り付けるような構成であると、ブラケットの形状を略Ｌ字状に設けなければならず加工が面倒になる。また、このように天板の側面部にブラケットを取り付けるような構成であると、ブラケットの天板取付面となる垂直面の上下幅が天板の厚み幅に拘束されてしまい、取付強度が弱くなってしまう。すなわち、天板の側面部分にブラケットをボルト止めする場合、強固に取り付けるためにボルトを大きくするとブラケットの開孔部分であるボルト孔も大きくなるため、ブラケットの強度が弱くなる。一方、逆にボルトを小さくするとブラケット自体の強度を増すことはできるが、ボルトが小さくなることによってボルト部分における天板への取付強度が弱くなってしまい、ひいては天板と脚体を強固に取り付けることができないという欠点があった。
【０００６】
そこで、本発明は、以上のような不具合に着目してなされたもので、より簡単にテーブルを組み立てることができるようにするとともに、脚体と天板との取付部分における強度を持たせることができるようにすることを目的とするものである。
【０００７】
【課題を解決するための手段】
すなわち上記課題を解決するために、本発明は、平面視略Ｌ字型をなす天板と当該天板における反使用端側の縁部が交差するコーナー部で天板を取り付けるコーナー脚体と、前記縁部の側方に設けられるパネルと、このパネルの反コーナー脚体側に取り付けられるパネル脚体とを設け、前記コーナー脚体及び前記パネル脚体の上方に天板を取り付けてなる天板の取付構造であって、天板の縁部における前記コーナー部に設けた切欠部と、当該切欠部から突出するように天板の裏面に設けた取付部材と、前記コーナー脚体の上方に設けられ前記取付部材をボルト止め可能にボルト孔を開孔した取付部と、前記パネルの上部に設けられ天板とパネルとを面一に連結するために設けられるカバー部材及び組立時に天板を位置決めするための天板位置決め部材の何れか一方を取付可能なカバー部材脱着部とを有し、当該切欠部から突出する取付部材の上方から当該取付部材を介して天板をコーナー脚体の取付部に取り付けるものである。
【０００８】
このような構成のものであると、脚体に天板を取り付ける際には、脚体と天板との取付部材を天板側に設けていることにより、その取付部材を介して天板上方より天板を脚体に取り付けることができる。したがって、天板の取り付けにおいては、脚体を正立姿勢の状態で立ち組みすることが可能となり、組立行程の簡略化を図ることができる。更に、前記取付部材を天板の裏面に設けることにより、取付部材の取付面を天板の側面幅に拘束されることなく自由な大きさとすることができる。したがって、取り付け用のボルト孔等を所望の大きさとすることができ、脚体と天板との取付強度を強固に保つことができる。また、取付部材を別体として構成しているため、運搬時の梱包などにおいてはあらかじめ脚体に取り付けている場合に比して、各部材に取付部材の凹凸を生じることなく、梱包容積を小さくすることができる。
【０００９】
また、天板とパネルとの間にダクトカバー等のカバー部材を有する机などにおける好適な実施の形態として本発明は、天板の取付に際し、天板とパネルとの隙間と同じ幅を持つ天板位置決め部材の係合部をパネルの上部に設けたカバー部材が取り付けられていないカバー部材脱着部に着脱可能に取り付け、当該天板の位置決め部材の側面に天板の側面を当接させて天板を位置決めすることにより天板の取付位置を定め、前記天板と前記パネル脚体とを固定した後、前記天板位置決め部材を取り外して組み立てることを特徴とする。或いは、パネルと当該天板との間に天板位置決め部材を着脱可能に取り付け、天板の取付位置を定め、前記天板と前記パネル脚体とを固定した後、前記天板位置決め部材を取り外して組み立てることを特徴とする。これにより、天板とカバー部材、カバー部材と天板との間にそれぞれに隙間を生じることなく適切な位置に天板を取り付けることが可能となる。
【００１０】
【発明の実施の形態】
以下、本発明の一実施形態を、図面を参照して説明する。
【００１１】
本実施の形態における天板１の取付構造は、図１に示すように天板１を脚体であるコーナー脚体２に取り付けるためのものである。
【００１２】
図１は、天板１を取り付けた状態を示すテーブルＴの斜視図、図６は、天板１の取付構造を示すテーブルＴの斜視図を示したものである。
【００１３】
これらの図面に示すように、テーブルＴは天板１と、この天板１を取り付けるコーナー脚体２と、このコーナー脚体２に直交して取り付けられる一対のパネル３と、天板１を支持する一対のパネル脚体４とを具備する。
【００１４】
以下、各部の具体的な構成について説明する。
【００１５】
天板１は、天板本体１１と、この天板本体１１の裏面１１ｂに取り付けられる取付部材であるブラケット１２からなるもので、このブラケット１２を介してコーナー脚体２に取り付けられるのものである。天板本体１１は、平面視概略Ｌ字型を成し、図３に示すように天板本体１１の反使用端側の両パネル側縁部１１ａが交差するコーナー部１１ｃに設けた切欠部１１Ａと、この切欠部１１Ａから突出するようにブラケット１２を取り付けるためのブラケット取り付け部１１Ｂと、天板１のパネル側縁部１１ａに沿って設けたカバー部材取り付け部１１Ｃとを具備している。切欠部１１Ａは、天板本体１１の左右パネル側縁部１１ａをまたがる切欠辺１１Ａ１を有し、この切欠辺１１Ａ１と、左右パネル側縁部１１ａの延長交線によって平面視三角形に天板本体１１を切り欠いて構成されるものであり、この切欠部１１Ａからブラケット１２の一部を天板本体１１より突出して取り付けるものである。この切欠部１１Ａの近傍に設けられるブラケット取付部１１Ｂは、天板本体１１の裏面１１ｂに開孔した円形のブラケット位置決め孔１１Ｂ１を複数箇所設けると共に、ブラケット１２を天板１にボルト止めするためのブラケット取付孔１１Ｂ２を複数箇所設けている。このブラケット取付孔１１Ｂ２を介して取り付けられるブラケット１２は、平板状のものであり、三角部１２Ａおよび長方形部１２Ｂからなる平面視五角形を成している。この三角部１２Ａは、前記切欠部１１Ａと略同型であり、その先端部にコーナー脚体取付孔１２ａを開孔し、コーナー脚体２にボルト止めされるものである。また、長方形部１２Ｂには前記ブラケット取付部１１Ｂに設けたブラケット位置決め孔１１Ｂ１に対応した円形の位置決め用凸部１２ｂを設けてブラケットの取り付け位置を正確に決められるようにすると共に、ブラケット取付孔１１Ｂ２に対応した天板取付孔１２ｃを複数開孔させて取り付けを確実なものにさせている。
【００１６】
このブラケット１２を介して天板１を取り付けるコーナー脚体２は、４本の中空角状パイプ部材とこれらを連結する板状板からなり、略四角形の脚体を構成するものである。コーナー脚体２の上端であって、最も使用者側近傍の四隅一角には、前記ブラケット１２を取り付けるためのボルト孔を開孔した取付部２１を有し、コーナー脚体２の側面部２２には後述するパネル３を取り付けるための取付孔２２Ａを有している。
【００１７】
このコーナー脚体２に直交して取り付けられるパネル３は、パネル本体３１と、このパネル本体３１と直交してテーブルＴの内方に延びるダクト３２を具備しており、このパネル本体３１と天板本体１１との隙間にカバー部材３３を嵌めこめるようにしたものである。パネル本体３１は、天板本体１１のパネル側縁部１１ａと略同寸の長辺をもつ長方形を成し、上端部にカバー部材脱着部３１Ａと、左右両側面部３１Ｂの上方及び下方にボルト孔を有している。そして、パネル本体３１は、その側面部３１Ｂの一方を介して前記コーナー脚体２に取り付けられ、他方の側面部３１Ｂを介して、後述するパネル脚体４にボルトにより取り付けられている。このパネル本体３１の内側に設けられたダクト３２は、上向きコ字状をなし、図示しないコード受け部材などを掛け止め可能とし、配線空間等を確保できるようにしたものである。このダクト３２の上部空間を覆うと共に天板１とパネル３とを面一に連結するために設けられたカバー部材３３は、樹脂成形され、配線ダクトなどのダクトカバー等として用いられるものであり、また、パネル本体３１の上部と天板１のパネル側縁部１１ａとの隙間Ｗに脱着可能にはめ込まれるものである。各カバー部材３３は上部にパネル本体３１と天板本体１１との隙間Ｗと略同寸の短辺３３ａを有するカバー面３３Ａと、このカバー面３３Ａから垂下して設けられ、パネル本体３１及び天板本体１１のカバー受け部に弾性変形して係合する爪を有する係合部３３Ｂを有している。
【００１８】
前記各パネル３の反コーナー脚体側にそれぞれ取り付けられる一組のパネル脚体４は、天板１を支持するものであり、各パネル脚体４は前記パネル３に対して直交する方向に取り付けられており、パネル脚本体４１と、このパネル脚本体４１の上端に取り付けられた天板受け具４２と、パネル脚体４の下端に設けられたアジャスタ４３とを具備するものである。このパネル脚本体４１は、その上端部に前記天板受け具４２を脱着する差込部および取付ボルト孔４１Ｂを有し、また、パネル３側の上端部には配線などを導入するための配線導入孔４１Ｃを設けている。この配線導入孔４１Ｃは通常サイドカバー４１ａにより閉じられている。また、パネル脚本体４１の内方側端には、上部及び下部にパネル取付孔４１Ｄを設けており、このパネル取付孔４１Ｄを介してパネル脚体４は前記パネル本体３１にボルトにより取り付けられる。このパネル脚本体４１の上端部に取り付けられる天板受け具４２は、略Ｌ字型形状を成し、天板１を指示する天板受け片４２Ｂと、この天板受け片４２Ｂから垂下し、前記パネル脚本体４１の差込部に挿入される挿入片４２Ａからなり、この挿入片４２Ａにはパネル脚本体４１に固定するためのボルト孔が設けられている。アジャスタ４３は、パネル脚本体４１の下端にボルトにより取り付けられている。
【００１９】
テーブルＴを組み立てる際には、天板１を定位置に取り付けるための天板位置決め部材５が用いられる。この天板位置決め部材５は、樹脂成形されたものであり、前記カバー部材３３の短辺３３ａつまりパネル本体３１と天板本体１１との隙間と略同寸の短辺５ａを有する平面視長方形板状の位置決め面５１を上部に有し、この位置決め面５１の裏面に直交する位置にパネル本体３１及び天板本体１１に弾性変形して係合する爪を有する係合部５２を設けている。
【００２０】
以上のような構成において、天板１をコーナー脚体２に取り付けてテーブルＴを組み立てる際の行程について説明する。
【００２１】
テーブルＴの製造においては、コーナー脚体２、パネル３、パネル脚体４を組立て、天板１を支持する土台を作り、その後天板１を取り付ける。以下詳述する。
【００２２】
まず、パネル脚体４の上部に天板受け具４２をはめ込み、その後ボルトにより天板受け具４２を天板１に取り付ける。そして、図３に示すようにパネル本体３１の側面部３１Ｂをコーナー脚体２の側面部２２に接触させ、そのコーナー脚体２の側面部２２およびパネル本体３１の側面部３１Ｂに設けられたボルト孔２２Ａ、３１ａを介してボルトによりコーナー脚体２にパネル３を固定する。同様に、パネル脚体４の内側面部４ｂをパネル３の側面部３１Ｂに直交させ、パネル本体３１の内方よりボルト止めして固定する。
【００２３】
次に、天板１を支持する土台を組み立てた後、図６に示すように天板１をコーナー脚体２及びパネル３脚に取り付ける。詳述すると、まず天板本体１１の裏面１１ｂにブラケット１２を取り付けるため、このブラケット１２の位置決め凸部１２ｂを天板１に設けられた位置決め孔１１Ｂ１にはめ込むことによりブラケット１２を天板１の取付位置に位置決めした後、ブラケット１２の三角部１２Ａが天板本体１１に設けられた天板１の切欠部１１Ａから突出する状態でボルト止めする。そして、この天板１に取り付けたブラケット１２を介して、コーナー脚体２に天板１を取り付ける。具体的には、まず天板１を正しい定位置に取り付けるために、天板位置決め部材５をパネル本体３１の上部に設けたカバー部材脱着部３１Ａに係合部５２を介してはめ込む。その後、天板本体１１の切欠部１１Ａから突出するブラケット１２の上方から、ブラケット１２の三角部１２Ａに設けた天板取付孔１２ａを介してコーナー脚体２の取付部２１にボルト止めすることにより、天板１をコーナー脚体２に固定する。そして、図７に示すように、そのボルト止めした天板１のコーナー部１１ｃを支点として、床と水平方向に揺らしながら、天板本体１１のパネル側縁部１１ａが天板位置決め部材５の側面部５１Ａに接触する位置に天板１を配置する。そして、天板１の取付位置が定まると、天板１とパネル脚体４をパネル脚体４に取り付けた天板受け具４２を介して、天板１の下方よりボルト止めをして固定する。そして、天板位置決め部材５を取り外し、適宜天板１の側部にカバー部材３３などを嵌めこんでテーブルＴを組み立てる。
【００２４】
以上のような天板１の取付構造であると、脚体に天板１を取り付ける際には、コーナー脚体２と天板１との取付部材であるブラケット１２を天板１側に設けているため、そのブラケット１２を介して天板１の上方より天板１をコーナー脚体２に取り付けることができる。したがって、天板１の取付においては、コーナー脚体２を正立姿勢の状態で立ち組みすることが可能となり、組立行程の簡略化を図ることができる。更に、前記ブラケット１２を天板１の裏面１１ｂに設けることにより、ブラケット１２の取付面１２Ｂを天板１の側面幅に拘束されることなく自由な大きさとすることができる。したがって、取り付け用のボルト孔等を所望の大きさとすることができ、コーナー脚体２と天板１との取付強度を強固に保つことができる。更に、ブラケット１２を別体として構成しているため、予めコーナー脚体２にブラケットを取り付けている場合のように梱包時の凹凸を生じることなく、梱包スペースを小さくすることができる。
【００２５】
また、天板１とパネル３との間にダクトカバー等のカバー部材３３を有するテーブルＴなどにおいては、天板１の取付に際し、天板１とパネル３との隙間Ｗと同じ幅５Ｗを持つ天板位置決め部材５を用いて、当該天板１の位置決め部材５の側面５１Ａに天板１のパネル側縁部１１ａを当接させて天板１を位置決めすることにより、天板１とカバー部材３３、カバー部材３３とパネル３との間にそれぞれに隙間を生じることなく適切な位置に天板１を取り付けることが可能となる。
【００２６】
【発明の効果】
本発明は、以上説明したような形態で実施され、以下に記載されるような効果を奏する。
【００２７】
すなわち、本発明は、脚体と天板との取付部材を天板側に設けているため、脚体に天板を取り付ける際には、その取付部材を介して天板上方より天板を脚体に取り付けることができる。したがって、天板の取付においては、脚体を正立姿勢の状態で立ち組みすることが可能となり、組立行程の簡略化を図ることができる。更に、前記取付部材を天板の裏面に設けることにより、取付部材の取付面を天板の側面幅に拘束されることなく自由な大きさとすることができる。したがって、取り付け用のボルト孔等を所望の大きさとすることができ、脚体と天板との取付強度を強固に保つことができる。
【００２８】
また、天板とパネルとの間にダクトカバー等のカバー部材を有する机などにおいては、天板の取付に際し、天板とパネルとの隙間と同じ幅を持つ天板位置決め部材を用いて、当該天板の位置決め部材の側面に天板の側面を当接させて天板を位置決めすることにより、カバー部材と天板との間に隙間を生じることなく適切な位置に天板を取り付けることが可能となる。
【図面の簡単な説明】
【図１】本発明の一実施例におけるテーブルを示す全体斜視図。
【図２】同実施例におけるテーブルを示す平面図。
【図３】同実施例におけるブラケットを天板に取り付ける状態を示す斜視図。
【図４】同実施例におけるブラケットを天板に取り付けた状態を示す斜視図。
【図５】同実施例におけるコーナー脚体とパネルとパネル脚体を組み立てる状態を示す斜視図。
【図６】同実施例におけるコーナー脚体に天板を取り付ける状態を示す斜視図。
【図７】同実施例における天板の位置決め行程を示す平面図。
【符号の説明】
１・・・天板
２・・・脚体（コーナー脚体）
３・・・パネル
５・・・天板位置決め部材
１１Ａ・・・切欠部
１１ａ・・・天板の縁部（パネル側縁部）
１１ｂ・・・天板の裏面
１２・・・取付部材（ブラケット）
２１・・・取付部
Ｔ・・・テーブル
【図１】
0004878685.tif 000002
【図２】
0004878685.tif 000003
【図３】
0004878685.tif 000004
【図４】
0004878685.tif 000005
【図５】
0004878685.tif 000006
【図６】
0004878685.tif 000007
【図７】
0004878685.tif 000008